(57)【要約】      （修正有）【課題】草刈り時に振り方向に面する半分で刈った草を確実にとどめ、後ろ側に回り込み難くして回転刃には絡み込ませないようにした草刈り機を提供する。【解決手段】吊り紐２又は吊り紐２に設けたフック３を係止させる受け具４及び操作ハンドル５を備えた中空のシャフト６を設け、該シャフトの基端部に駆動機、先端部に前記駆動機７に連繋した軸棒９の先端ギアを介して互いに逆方向の回転を受ける２つの従動ギアを内装したギアボックス１４を有する円形上板１５を設け、該円形上板の下面に互いに逆方向に回転する上回転刃と下回転刃とを刃部が前記円形上板の外周からはみ出すように設け、該下回転刃に一体回転する接地回転板を設けてなり、前記円形上板１５の上面に前記シャフトの延長方向に草をとどめる草受け板２６を設け、該草受け板の先端側及び基端側に刈った草を被包する凹曲部２７、２７′を設けた。【選択図】図１
2016082914.tif 000002
【特許請求の範囲】
【請求項１】
吊り紐又は吊り紐に設けたフックを係止させる受け具及び操作ハンドルを備えた中空のシャフトを設け、該シャフトの基端部に駆動機、先端部に前記駆動機に連繋した軸棒の先端ギアを介して互いに逆方向の回転を受ける２つの従動ギアを内装したギアボックスを有する円形上板を設け、該円形上板の下面に互いに逆方向に回転する上回転刃と下回転刃とを刃部が前記円形上板の外周からはみ出すように設け、該下回転刃と一体回転する接地回転板を設けてなり、前記円形上板の上面に前記シャフトの延長方向に沿って刈った草を受け止める草受け板を設け、該草受け板の先端側及び基端側に刈った草を被包する凹曲部を設けたことを特徴とする草刈り機。
【請求項２】
前記草受け板が、基端側の凹曲部の下部外縁に刈った草を凹曲部に導くガイド板を設けたことを特徴とする請求項１に記載の草刈り機。
【発明の詳細な説明】
【技術分野】
【０００１】
本発明は、吊り紐で身体の脇に密着して設置し、身体中心に回転刃を振って草刈りを行うことのできる草刈り機に関するものである。
【背景技術】
【０００２】
一般に、この種の草刈り機は、草刈りにあたり身体中心に回転刃を振るもので、振る方向の前面にある半分の刃で草を刈るが、振る方向の後ろ側の半分は草刈りには寄与しないばかりでなく、刈った草が絡まることがあり、かかる場合には絡んだ草により回転刃を止めてしまうことも起こり得る。したがって、草刈り機では、回転刃を草刈り方向に振るときに刈られた草が、草刈りには寄与しない後ろ側の刃に回り込まないようにすることが重要である。そこで、振り方向の前面にある半分の刃で刈った草を、回転刃の上面にとどめるようにした草刈り機が提案されている（特開２００３−１４３９１９号公報）。この草刈り機は刈った草を回転刃の上面にとどめられる点では、刈った草が後ろ側の刃に絡むことが少なくなるといえる。
【特許文献１】特願２００３−１４３９１９号公報
【発明の開示】
【発明が解決しようとする課題】
【０００３】
しかしながら、上記特許文献１の草刈り機では、刈られた草の大半をとどめることはでできず、振り方向の後ろ側に回ってしまうことが多く、刈った草が回転刃に絡んで、回転刃を止めてしまうことが多くなっていた。
【０００４】
本発明は、上記課題を解決するもので、その目的とするところは、草刈り時に振り方向に面する半分で刈った草を確実にとどめ、後ろ側に回り込み難くするとともに、後ろ側の回転刃には絡み込まないようにした草刈り機を提供することにある。
【課題を解決するための手段】
【０００５】
上記目的を達成するため、本発明に係る草刈り機は、吊り紐又は吊り紐に設けたフックを係止させる受け具及び操作ハンドルを備えた中空のシャフトを設け、該シャフトの基端部に駆動機、先端部に前記駆動機に連繋した軸棒の先端ギアを介して互いに逆方向の回転を受ける２つの従動ギアを内装したギアボックスを有する円形上板を設け、該円形上板の下面に互いに逆方向に回転する上回転刃と下回転刃とを刃部が前記円形上板の外周からはみ出すように設け、該下回転刃に一体回転する接地回転板を設けてなり、前記円形上板の上面に前記シャフトの長さ方向に沿って刈った草を受け止める草受け板を設け、該草受け板の先端側及び基端側に刈った草を被包する凹曲部を設け、刈った草が後ろ側に回り込まないように構成した。
【０００６】
また、請求項２に係る草刈り機は前記草受け板が基端側の凹曲部の下部外縁に、刈った草を凹曲部に導くガイド板を設け、刈った草を草受け板に確実にガイドさせるように構成した。
【発明の効果】
【０００７】
本発明によれば、地面すれすれに草刈りしても小石などを飛散させず、多くの子供や大人が遊んでいる公園や運動場で安全安心して草刈りができるとともに、刈った草は円形上板上の草受け板でとどめられ、草を後ろ側に逃がさないから、後方の回転刃に絡せることがない。また、刃主体の左右の移動を繰り返しながら草刈り作業をするときに刈られた草は、いったん草受け板でとどめられ、ターン場所に畝状に集められるようになるから、いちいち熊手などを使って片付ることが不要になるなど各種の優れた効果を奏するものである。
【０００８】
また、請求項２に係る発明によれば、ガイド板により刈った草を草受け板の基端側の両端凹曲部へ確実にガイドできるようにし、刈られた草が後ろ側に逃げることを規制できるという優れた効果を奏するものである。
【発明を実施するための最良の形態】
【０００９】
次に、本発明の実施の態様について図面を参照して説明する。図１は本願草刈り機の一部切欠斜視図、図２は刃主体の構成を概略的に示す拡大断面図、図３は上回転刃と下回転刃を重ねて示した拡大斜視図、図４はビスとビス孔との関係を示す係合時の平面図、図５は円形上板とその上面に固定した草受け板とを示す平面図、図６は本願草刈り機の操作時を正面側から見た状態の斜視図である。
【００１０】
本願草刈り機１は、図１の如く、吊り紐２に設けたフック３を係止させる受け具４及び操作ハンドル５を備えた中空のシャフト６を有している。前記吊り紐２は、本願草刈り機１を身体に支えるためのもので、前記シャフト６の受け具４を設けた個  所に最初から一体的に取付けておくこともある。前記操作ハンドル５は前記シャフト６にジョイント具５′を介して鹿の角状にせり上がった両端にはグリップ部５″、５″が備えられている。
【００１１】
前記シャフト６の基端部には駆動機７が、また、シャフト６の先端部には刃主体８が設けられている。該刃主体８は、前記シャフト６の基端部に取付けた駆動機７に連繋され、シャフト６内を縦通した軸棒９の先端ギア１０に、図２の如く、歯合した中継ギア１１と同軸のべベルギア１２を介して互いに逆方向に回転する２つの従動ギア１３、１３′を内装したギアボックス１４を有する円形上板１５を備えている。
【００１２】
前記駆動機７としては小型のガソリンエンジンの使用が好ましいが、出力的に満足が得られるならば他の動力源（図示せず）を使用してもよい。また、前記駆動機７の回転速度や馬力は、前記グリップ部５″、５″握っている一方の手指（例えば親指）の操作で調整できるようにするとよい。
【００１３】
前記円形上板１５の下側には円形ケース１６がビス止めされている。該円形ケース１６内には、ケース内上ギア１８とケース内下ギア１８′が回転自在に設けられ、前記ギアボックス１４内の従動ギア１３、１３′にそれぞれ連繋して互いに逆方向に水平方向に回転する上駆動ギア１７と下駆動ギア１７′に噛み合っている。前記ケース内上ギア１８には第一回転体１９が連繋し、ケース内下ギア１８′には第二回転体１９′がそれぞれ連繋回転（互いに逆方向）できるようになっている。
【００１４】
前記第一回転体１９及び第二回転体１９′のそれぞれの下面には、複数個のピン２０が円形状に配置され、該ピン２０に対向して、図３の如く、上回転刃２２及び下回転刃２３にそれぞれピン孔２１が設けられている。しかして、下回転刃２３の下面には接地回転板２４を重ねるが、該接地回転板２４にもピン孔が設けられている。該接地回転板２４は前記刃主体８を地面に接して操作できるようにしている。
【００１５】
前記ピン孔２１は、前記ピン２０の頭部が通過できる大円部２１ａと、前記ピン２０の軸部が入る小円部２１ｂとが連続した形状になっており、結合に際し、まず、ピン２０の頭部を大円部２１ａに通してから小円部２１ｂに向けてずらすことにより結合する（図４参照）。すなわち、ピン孔２１を有する上回転刃２２、下回転刃２３及び接地回転板２４の順で前記ピン２０に結合する。なお、前記接地回転板２４を前記ピン２０に結合した後、ピン２０の頭部に、縮小方向に付勢した拡開バネリング２５を係止させると前記接地回転板２４が抜けないように固定される。
【００１６】
前記円形上板１５の上面には、前記刃主体８により刈られた草を受け止めるための草受け板２６が設けられている。該草受け板２６は、前記シャフト６の延長上の位置、すなわち、円形上板１５の上面を、草刈り方向（実線矢印）Ａに面する半分と、逆向き方向（破線矢印）Ｂに面する半分とを折半する位置に設けられている。勿論、逆向き方向（破線矢印）Ｂでも、往きに刈り残した草を仕上げる意味で刈るというテクニックもある。
【００１７】
前記草受け板２６の先端側及び基端側の両端部には、刈った草を被包する凹曲部２７、２７′がある。該凹曲部２７、２７′は、刈った草が丈長のときは幹部をつかむ役目を果たし、丈が短小のときは掻き集める役目を果たすもので、草受け板２６より後ろ側に刈った草を逃がさないために有効である。この草受け板２６の高さＨは、５〜１５ｃｍに設定するのが好ましい。５ｃｍより低いと丈の長い草には対応できないし、１５ｃｍ以上であると重心の関係で扱い難くなる。
【００１８】
前記草受け板２６の凹曲部２７、２７′の最外端Ｋは、上回転刃２２及び下回転刃２３のそれぞれの刃部２２′、２３′の外端を通る想像円Ｓと同じか、若干内側になっていることが好ましい。前記想像円Ｓの外側では刃部２２′、２３′にて刈られない草を凹曲部２７、２７′でつかむことになり、前記想像円Ｓの内側であり過ぎると刈った草が草受け板２６の後ろ側に逃れが易くなるからである。
【００１９】
前記草受け板２６の基端側の凹曲部２７′の下部外縁には、刃部２２′、２３′により刈られた草を凹曲部２７′に導くガイド板２８がやや下向きに設けられている。これは刈った草を、草受け板２６ないし凹曲部２７′に確実に導くためである。このガイド板２８は草受け板２６の先端側には設けられていないが、これは上回転刃２２の回転方向との関係である。
【００２０】
前記円形上板１５の周辺部１５ａは、上回転刃２２の刃部２２′の基部に向かって円弧状に被っている（図面上は角形）。これは円形上板１５の周辺部１５ａと上回転刃２２の刃部２２′との隙間を可能な限り小さくして草刈りする側でも後方側でも刈った草が刃に絡むことがないようにしている。なお、前記シャフト６の刃主体８寄りには刈った草などがシャフト６に沿って上昇させないための保護板２９が設けられている。
【００２１】
次に、本願草刈り機１の作用について説明する。まず、作業者は、シャフト６の先端部に設けた刃主体８を仰向けに反転させ、第一回転体１９及び第二回転体１９′を露出させる。この第一回転体１９及び第二回転体１９′のそれぞれに配置した複数のピン２０にピン孔２１を介して上回転刃２２を結合し、その後、下回転刃２３及び接地回転板２４を結合させる。最後に拡開バネリング２５で抜けないように固定する。
【００２２】
次いで、シャフト６の基端部に設けた駆動機（ガソリンエンジン）７を始動（エンジンを掛ける）させてから、作業者をして、吊り紐２を襷掛けにし、その吊り紐２のフック３をシャフト６に設けた受け具４に係止させて本願草刈り機１を脇に抱えるように密着させる。しかる後、操作ハンドル５のグリップ部５″、５″を両手で握ると、シャフト６の先端部の刃主体８を操作（振る）する草刈り態勢ができる。
【００２３】
次に、草刈り作業に移るが、操作ハンドル５のアクセル操作により駆動機（ガソリンエンジン）７の回転数をＭＡＸまで上げ、操作ハンドル５により身体中心にシャフト６の先端部の刃主体８を、図６の実線矢印Ａの如く、振る。刃主体８の回転数をＭＡＸまで上げることにより草を刈るときの「刃」への負担を軽減すると共に、草刈りスピードが断然アップする。
【００２４】
この刃主体８の振りは、下回転刃２３と一体回転している接地回転板２４を地面に接触させて行うために楽に行える。その上、上回転刃２２及び下回転刃２３の２枚刃であるため、小石や小枝などがあってもこれらを飛散させないから、例えば、公園や校庭での草刈り作業の近くに子供や大人がいても支障なく行える。
【００２５】
また、作業者が刃主体８を、図６の実線Ａの如く、移動させると上回転刃２２及び下回転刃２３により刈られ草は、円形上板１５の上面に設けた草受け板２６によりとどめられる。特に、草受け板２６の両端部に凹曲部２７、２７′があるため、刈った草が丈長のときでも短小のときでも刈った草を確実に被包するように受け止めることができる。この草受け板２６の高さＨが、５〜１５ｃｍあると、刈った草が丈長のときでも、短小のときでも確実にとどめることができる。
【００２６】
そして、身体中心による捻りが限界になってターン（返す）し、図６の破線Ｂの如く、刃主体８を移動させると、前記草受け板２６にとどめられた草はターン時の場所に残される。つまり、刃主体８の左右の移動（実線Ａ及び破線Ｂ）を繰り返すことにより刈られた草は、ターン場所に畝状に集められることとなるから、熊手などを使って散らばった刈った草を集める作業が不要となる利点がある。
【００２７】
本願草刈り機１を用いて都市公園（秋川市草花公園）において、申請許可を得て草刈りテストを行った。広い公園を７日（４２時間）掛けて完了した（回転刃を３枚交換した）。畝状に集められた草は回収用袋に詰めて運び出したが、熊手を使った集める作業は不要であった。これに対し、草刈り乗用ハンマーカッターを使って別な公園で同じ日数同じ時間を掛けて草刈りを実施し、散らばった草を熊手で集める作業には４０時間／１人を要した。
【００２８】
また、前述の如く、刃主体８の回転数がＭＡＸまで上がっていると、刃主体８の返し（図６の破線矢印Ｂ）時に、往きのときに残された産毛のような草も根こそぎ刈り取ることができ、刈り取った後の地表を見て「綺麗」だと感想を述べる近所の住人からの声も多い。
【００２９】
本願草刈り機１による草刈りにあたり刃本体８を身体中心に揺動させる時に進行方向に面する半分の刃で草を刈るが、後ろ側の半分の刃は当面草刈りのためには寄与しないとしても継続して回転しているために、進行方向に面したときに草が絡まっていては草刈りに寄与できないばかりでなく回転を止めてしまうことも起こり得るが、刈った草は円形上板上の草受け板で確実にとどめ、後ろ向きに逃がさないので、後ろ側の半分の刃に絡ませることは一切ない。
【産業上の利用可能性】
【００３０】
本願草刈り機では、刈った草を円形上板上の草受け板でとどめ、そのとどめた草を後ろに逃がさないようにしたもので、公園や学校の庭などにおいて草刈り作業を安心安全にして楽に行えるものであり、産業上の利用可能性は高いものである。
【図面の簡単な説明】
【００３１】
【図１】本願草刈り機の一部切欠斜視図である。
【図２】刃主体の構成を概略的に示す拡大断面図である。
【図３】上回転刃と下回転刃を重ねて示した拡大斜視図である。
【図４】ビスとビス孔との関係を示す係合時の平面図である。
【図５】円形上板とその上面に固定した草受け板とを示す平面図である。
【図６】本願草刈り機の操作時を正面側から見た状態の斜視図である。
【符号の説明】
【００３２】
１  本願草刈り機
２  吊り紐
３  フック
４  受け具
５  操作ハンドル
５′  ジョイント具
５″  グリップ部
６  中空のシャフト
７  駆動機
８  刃主体
９  軸棒
１０  先端ギア
１１  中継ギア
１２  べベルギア
１３，１３′  従動ギア
１４  ギアボックス
１５  円形上板
１６  円形ケース
１７  上駆動ギア
１７′  下駆動ギア
１８  ケース内上ギア
１８′ケース内下ギア
１９  第一回転体
１９′  第二回転体
２０  ピン
２１  ピン孔
２２  上回転刃
２３  下回転刃
２４  接地回転板
２５  バネリング
２６  草受け板
２７、２７′  凹曲部
２２′、２３′  刃部
Ｓ  想像円
２８  ガイド板
２９  保護板
【図１】
2016082914.tif 000003
【図２】
2016082914.tif 000004
【図３】
2016082914.tif 000005
【図４】
2016082914.tif 000006
【図５】
2016082914.tif 000007
【図６】
2016082914.tif 000008
【手続補正書】
【提出日】平成27年11月20日(2015.11.20)
【手続補正１】
【補正対象書類名】特許請求の範囲
【補正対象項目名】全文
【補正方法】変更
【補正の内容】
【特許請求の範囲】
【請求項１】
吊り紐又は吊り紐に設けたフックを係止させる受け具及び操作ハンドルを備えた中空のシャフトを設け、該シャフトの基端部に駆動機、先端部に前記駆動機に連繋した軸棒の先端ギアを介して互いに逆方向の回転を受ける２つの従動ギアを内装したギアボックスを有する円形上板を設け、該円形上板の下面に互いに逆方向に回転する上回転刃と下回転刃とを刃部が前記円形上板の外周からはみ出すように設け、該下回転刃と一体回転する接地回転板を設けてなる草刈り機において、前記円形上板の上面に前記シャフトの延長方向に沿って刈った草を受け止める草受け板を設け、該草受け板の先端側及び基端側に刈った草を被包する凹曲部を設けたことを特徴とする草刈り機。
【請求項２】
前記草受け板が、基端側の凹曲部の下部外縁に刈った草を凹曲部に導くガイド板を設けたことを特徴とする請求項１に記載の草刈り機。